(57)【要約】【課題】反射式光波長変調装置を提供する。【解決手段】反射弧面を備える反射モジュールと、前記反射弧面に設ける少なくとも一つの伝熱棒と、前記伝熱棒の端面に設ける照明モジュールまたは太陽電池もしくは光電池からなる変換モジュールと、前記変換モジュールと適切な距離を設けて対向に設置する反射マスクとを含む。前記反射モジュールまたは反射マスクは波長変調材料からなる。これにより、前記変換モジュールより発生または入射された光源を前記反射マスクに反射し前記光源の波長を改変できる。前記光源は簡易な周辺装置の組み合わせによって、光源色系の波長変調機能を有し光電装置製造の経済効果を有する。【選択図】図１
2010226102.tif 000002
【特許請求の範囲】
【請求項１】
反射式光波長変調装置であって、
波長変調材料からなり、反射弧面を備える反射モジュールと、
柱体を形成し、前記反射モジュールの前記反射弧面に設ける少なくとも一つの案内棒と、
前記案内棒の端面に取り付ける、少なくとも一つの変換モジュールと、
波長変調材料からなる反射マスクとを含み、
前記反射マスクと前記変換モジュールは光源を前記反射マスクに投射または反射できるように適切な距離を設けて設置する、
ことを特徴とする、反射式光波長変調装置
【請求項２】
前記反射モジュールは放熱機能を有する反射ミラーであることを特徴とする請求項１記載の反射式光波長変調装置。
【請求項３】
前記変換モジュールは各種の照明素子であり、前記照明素子は発光ダイオード（ＬＥＤ）パッケージまたはＬＤパッケージであることを特徴とする請求項１記載の反射式光波長変調装置。
【請求項４】
前記変換モジュールは各種の光電変換素子であり、前記光電変換素子は太陽電池または光電池であることを特徴とする請求項１記載の反射式光波長変調装置。
【請求項５】
前記反射マスクは固定具によって前記反射モジュールに固定されることを特徴とする請求項１記載の反射式光波長変調装置。
【請求項６】
前記反射マスクは前記変換モジュールの対向場所に投射弧面が組み付けられていることを特徴とする請求項１記載の反射式光波長変調装置。
【請求項７】
前記変換モジュールの出射光源は前記反射マスクに投射され、前記光源の一部の光線は前記反射マスクを通過して投射射し、前記光源の他の部分は前記反射マスクによって前記反射モジュールに反射した後に前記反射弧面より反射することを特徴とする請求項６記載の反射式光波長変調装置。
【請求項８】
前記変換モジュールに入射された光源の一部の光線は前記反射マスクに投射することによって、その一部の光線は反射マスクによって投射および集光し、他の一部の光線は前記反射モジュールによって前記反射マスクに反射してから、前記変換モジュールに反射することを特徴とする請求項６記載の反射式光波長変調装置。
【請求項９】
前記反射モジュールに多数の前記案内棒を設け、前記案内棒に変換モジュールをそれぞれ設けることを特徴とする請求項１記載の反射式光波長変調装置。
【請求項１０】
前記反射モジュールの底部に放熱台座が設けられていることを特徴とする請求項１記載の反射式光波長変調装置。
【発明の詳細な説明】
【技術分野】
【０００１】
本発明は照明又は光充電装置に光色系変調機能を備える反射式照明又は光充電装置における反射式光波長変調装置に関する。
【背景技術】
【０００２】
発光ダイオード（Ｌｉｇｈｔ  Ｅｍｉｔｔｉｎｇ  Ｄｉｏｄｅｓ：ＬＥＤ）は効率が高く、省電力、寿命が長く、冷発光、反応速度が速く、光色の一様性が高い等、従来の光源に優れている長所が多くある。
したがって、発光ダイオード（ＬＥＤ）を照明装置に使用することは、今日の光電産業、照明産業の発展のための重要な技術であり、かつ従来光源の応用に代わる技術である。
現在の単結晶形発光ダイオード（以下、ＬＥＤという）は蛍光粉末をＬＥＤに被せることにより白光を発光させている。また、青色光ＬＥＤには黄色の蛍光粉末を添加する。
また、紫外光ＬＥＤにＲＧＢ三波長の蛍光粉末を添加し白光を形成する。蛍光粉末はＬＥＤより出射された励起ビームによって励起した後に出射ビームが出射される。
一方、ＬＥＤの出射ビームが蛍光粉末に吸収されない残存の励起ビームと、蛍光粉末によって励起された光ビームとを混合することで白光を形成できる。
【発明の概要】
【発明が解決しようとする課題】
【０００３】
しかし、前述した従来のＬＥＤ発光方式にはＬＥＤの色調整に柔軟性が少なく、普及応用に制限があるため、理想な構成設計とは言えない。
また、ＬＥＤの寿命、機能にもっとも関係するものは放熱効果であり、今日のＬＥＤの発展応用の最重要問題である。
しかし、従来技術のＬＥＤ発光方式では応用周辺と組み合わせることで、より良い放熱機能を形成することができない。
よって、上記課題を克服することにより、ＬＥＤをより幅広く多用し、新たな産業を創出する必要がある。
【０００４】
同様に、光電変換に関しては光源セル（たとえば、太陽エネルギー等）の集光方式を工夫して、その変換効率を向上させたり、波長変調によって太陽スペクトルの利用率を高める。さらに、材料と放熱構造の欠点などの課題は、すべて解決努力と克服の重要方向である。
【０００５】
本発明人は公知技術のＬＥＤ発光および光源の焦点合わせ構成上の欠点およびその構造設計が理想でない現状について解決案の研究開発に取り掛かり、より実用性、かつ経済性を有する反射式光波長変調装置の開発を目指し、社会に貢献する共に業界の発展促進を図り、種々研究した結果、本発明を思料した。
【課題を解決するための手段】
【０００６】
本発明は、ＬＥＤを発光の光源または光源（たとえば、太陽エネルギー等）の照射によって電気エネルギーを発生する光電池、照明モジュールまたは光電池に適用できる一種の反射式光波長変調装置の提供を目的とする。
本発明の反射式光波長変調装置を適用すれば、光源は簡易な周辺装置の組合せによって光源色系の波長変調機能を有し、照明モジュールまたは光電池の製造に経済効果を有する。
【０００７】
本発明のもう一つの目的は、光源を波長変調機能材料に投射と反射することによって、光源色系の組み合わせまたは光電変換効率の向上を実現すると共に、極めて良い放熱効果を有する反射式光波長変調装置を提供することである。
【０００８】
本発明において前記目的を達成する手段は、波長変調材料からなり反射弧面を備える反射モジュールと、前記反射モジュールの反射弧面に設ける少なくとも一つの案内棒と、前記案内棒の端面に設ける照明モジュールまたは太陽電池もしくは光電池からなる変換モジュールと、波長変調材料からなり前記変換モジュールと適切な距離を設けて対向に設置する反射マスクとを含む。
これにより、前記変換モジュールによって前記反射マスクに投射し、または前記光線充電モジュールが反射モジュールに反射された光源を入射して光波長変調の働きを発生する。
【０００９】
本発明の技術手段は、さらに各案内棒の端面に多数の変換モジュールを含み、かつ前記案内棒は長い柱体である。
【図面の簡単な説明】
【００１０】
【図１】本発明実施例１の立体態様図である。
【図２】本発明実施例１の分解態様図である。
【図３Ａ】本発明実施例１の稼働態様の断面視図（１）である。
【図３Ｂ】本発明実施例１の稼働態様の断面視図（２）である。
【図４】本発明実施例２の立体態様図である。
【図５】本発明実施例２の稼働態様の断面視図である。
【図６】本発明の放熱台座の設置態様図である。
【発明を実施するための形態】
【００１１】
本発明の技術、特徴及び達成される効果のさらなる理解と認識を図るため、好ましい実施例と図式を合わせて以下のとおり詳細説明する。
【実施例１】
【００１２】
図１、２および３Ａの本発明の反射式光波長変調装置の実施例１を参照する。
本発明の反射式光波長変調装置は、主に反射モジュール１０と、伝熱棒２０と、変換モジュール３０と反射マスク４０とを含む。
前記反射モジュール１０は有機高分子をキャリアとし、キャリアの内部に有機波長変調材料、量子ドット演色変調材料とナノ粒子蛍光増強剤とを組み合わせた複合材料を含む波長変調材料を添加する。本実施例において前記反射モジュール１０は反射ミラーである。
前記反射モジュール１０に反射弧面１１を有し、その下部にコネクタ１２を有する。
さらに、前記反射モジュール１０は放熱機能を有し前記コネクタ１２は電源導通に提供し、かつプリント回路板１４（図３Ａに示す）を有する。
【００１３】
前記伝熱棒（または案内棒）２０は柱体であり、前記反射弧面１１のほぼ中央場所に取り付けられている。さらに、前記伝熱棒２０は細長い状（すなわち、前記伝熱棒の縦方向の高さ（ａ）は横断面いずれの辺または直径（ｂ）（ａ≧ｂ）より大きいかまたは等しい）（図２に示す）を形成する。
【００１４】
前記変換モジュール３０は光線を発生する照明モジュールまたは光源（たとえば、太陽エネルギー等）の照射によって、電気エネルギーを発生する光電池（たとえば、太陽電池）であり、前記伝熱棒２０の端面に取り付けられている。
すなわち、前記変換モジュール３０は前記伝熱棒２０が前記反射モジュール１０他端の端面に取り付けられている。前記変換モジュール３０は発光ダイオード（ＬＥＤ）パッケージ、ＬＤパッケージ等の照明素子または光電池（たとえば、太陽電池）等の光／電変換素子である。
【００１５】
前記反射マスク４０は不透明または半透明の反射ミラー（すなわち、光源が反射されるまたは一部の光源は前記マスクを通過する）であり、かつ有機高分子をキャリアとし、キャリアの内部に有機波長変調材料、量子ドット演色変調材料とナノ粒子蛍光増強剤とを組み合わせた複合材料を含む波長変調材料を添加する。
前記反射マスク４０と前記変換モジュール３０は適切な距離を設けて対向設置される。すなわち、前記変換モジュール３０は前記反射マスク４０と前記反射モジュール１０との間に取付け、前記変換モジュール３０に前記反射マスク４０に対して光源を投射または入射させる。
好ましい一実施例において、前記反射マスク４０は適切な位置に固定されている。
図１、２に示す通り、前記反射マスク４０と前記反射モジュール１０との間に多数の固定具１３（またはその他固定部材、固定方式）が連結され、前記固定具１３は薄いシート状のブラケット等であり、前記反射マスク４０（前記固定具１３の実施方式はそのうち一つの手段であり、前記技術を熟知する者が他の方式を利用しても同じ目的を実現できる。）の固定に備える。
さらに、前記反射マスク４０は前記変換モジュール３０の対向場所に投射弧面４１（図３Ａに示す）が設けられている。
【００１６】
図３Ａの本実施例における反射式光波長変調装置の使用状態の説明を参照する。変換モジュール３０が発光ダイオード（ＬＥＤ）パッケージ、ＬＤパッケージ等の発光素子のとき、前記変換モジュール３０の光源によって前記反射マスク４０に投射されたとき、前記反射マスク４０は半透明状の反射ミラーであるため、一部の光線Ａは前記反射マスク４０を通過して投射され、ほかの一部の光線Ｂは前記反射マスク４０の投射弧面４１によって反射される。
反射された光線Ｂは再び前記反射モジュール１０の反射弧面１１に投射してから、前記反射弧面１１によって光線Ｃとして反射される。
光線Ａと光線Ｃを混合したものは合計投射の光線量である。前記反射マスク４０と反射モジュール１０とも波長変調材料より構成されているため、前記反射マスク４０によって投射、反射された光線と、前記反射モジュール１０によって反射される光線は、すべて光波長変調の働きを有し前記光源色系も変調の特性を有する。
一方、前記変換モジュール３０より形成される熱エネルギーも前記伝熱棒２０を介して前記反射モジュール１０に導くことができる。前記反射モジュール１０は放熱機能を有する反射ミラーであり、かつ放熱効果を兼ねる。
当然ながら、前記反射モジュール１０の底部はさらに放熱台座１５に連結されている。
図６に示すように、前記放熱台座１５によって極めて良い放熱効果が形成される。
【００１７】
さらに、図３Ｂに示すように、前記変換モジュール３０が（太陽電池）等の光電変換素子のとき、光源を前記反射マスク４０に投射される。
前記反射マスク４０は半透明状の反射ミラーであり、かつ波長変調材料からなる。
よって、一部の光線Ａは前記反射マスク４０によって前記変換モジュール３０（たとえば、太陽電池）に投射および集光、他の一部の光線Ｃは前記反射モジュール１０に投射された後、前記反射弧面１１によって反射し反射光線Ｂが再び反射マスク４０に投射する。
引き続き前記投射弧面４１によって光線を前記変換モジュール３０に反射および集光させる。前記反射マスク４０と前記反射モジュール１０とも波長変調材料からなる。
よって、前記反射マスク４０によって投射、反射される光線および前記反射モジュール１０によって反射される光線は、すべては光波長変調の働きを有する。
従って、前記変換モジュール３０に極めて良い太陽光集光効果を有し、光電変換効率を向上できる。
【実施例２】
【００１８】
図４、５の本発明の反射式光波長変調装置の実施例２を参照する。
本実施例の反射式光波長変調装置は、主に反射モジュール５０と、多数の伝熱棒６０と、多数の変換モジュール７０と一つの反射ミラー８０とを含む。
前記反射モジュール５０は波長変調材料からなる。たとえば、有機高分子をキャリアとし、前記キャリアの内部に有機波長変換材料、量子ドット蛍光演色変調材料とナノ粒子蛍光増強剤より組み合わせた複合材料が添加されている。
前記反射モジュール５０はほぼ細長い皿体を形成し、かつ反射弧面５１と両側に端板５２を備え、前記反射モジュール５０は放熱機能を有する反射ミラーである。
多数の伝熱棒６０は前記反射モジュール５０の反射弧面５１に取り付ける。多数の変換モジュール７０は多数の前記伝熱棒６０の端面にそれぞれ対応して設ける。
すなわち、前記変換モジュール７０は前記伝熱棒６０が反射モジュール５０他端の端面に取り付けられ、前記変換モジュール７０は発光ダイオード（ＬＥＤ）パッケージ、ＬＤパッケージ等の発光素子または太陽電池（光電池）等の光電変換素子である。
前記反射マスク８０は半透明状の反射ミラーであり、かつ波長変調材料からなる。
たとえば、有機高分子をキャリアとし、キャリアの内部に有機波長変換材料、量子ドット蛍光演色変調材料とナノ粒子蛍光増強剤より組み合わせた複合材料が添加されている。
前記反射マスク８０と前記変換モジュール７０は適切な位置を設けて対向に設置する。
すなわち、前記変換モジュール７０は前記反射マスク８０と前記反射モジュール５０との間に取付けることにより、前記変換モジュール７０より出射または入射される光線は前記反射マスク８０によって投射し、または前記反射モジュール５０、反射マスク８０によって反射される。
好ましい一実施例において、前記反射マスク８０は適切な位置に固定されている。
たとえば、図４に示すように、前記反射マスク８０の両側は固定具５３（たとえば、薄いシート状のブラケット等）によって前記反射モジュール５０（またはその他固定部材、固定方式）に固着する。
前記反射マスク８０は前記変換モジュール７０に対向して投射弧面８１が設けられている。
【００１９】
図５の本実施例における反射式光波長変調装置の使用状態の説明を参照する。
変換モジュール７０は発光ダイオード（ＬＥＤ）パッケージ、ＬＤパッケージ等の発光素子のとき、前記照明モジュールまたは光電池の光源によって前記反射マスク８０に投射すると、前記反射マスク８０は半透明状の反射ミラーであるため、一部の光線Ａ１は前記反射マスク８０を通過して投射され、ほかの一部の光線Ｂ１は前記反射マスク８０の投射弧面８１によって反射される。
反射された光線Ｂ１は再び前記反射モジュール５０の反射弧面５１に投射してから、前記反射弧面５１によって光線Ｃ１として反射される。
光線Ａ１と光線Ｃ１を混合したものは合計投射の光線量である。前記反射マスク８０と反射モジュール５０とも波長変調材料より構成されているため、前記反射マスク８０によって投射、反射された光線と、前記反射モジュール５０によって反射される光線は、すべて光波長変調の働きを有し、前記光源色系も変調の特性を有する。
一方、前記変換モジュール７０より形成される熱エネルギーも前記伝熱棒６０を介して前記反射モジュール５０に導かれる。
前記反射モジュール５０は放熱機能を有する反射ミラーであり、かつ放熱効果を有する。
【００２０】
同じく、前記変換モジュール７０が太陽電池等の光電変換素子のとき、前記実施例１に示すように、前記変換モジュール３０により良い太陽エネルギー集光効果を持たせ光電変換効率を向上できる。
【００２１】
以上に明した本発明の実施例は、本発明の好ましい実施例であり、本発明に何らの制限を加わるものではない。
よって、本発明の特許請求の範囲に掲げた形状、構造、特長および精神に基づいた変更と修飾は、なお本発明の特許出願の範囲に含まれる。
【符号の説明】
【００２２】
１０、５０  反射モジュール
１１、５１  反射弧面
１２  コネクタ
１３  固定具
１４  プリント回路板
１５  放熱台座
２０  伝熱棒
３０、７０  変換モジュール
４０、８０  反射マスク
４１、８１  投射弧面
５２  端板
５３  固定具
６０  伝熱棒
【図１】
2010226102.tif 000003
【図２】
2010226102.tif 000004
【図３Ａ】
2010226102.tif 000005
【図３Ｂ】
2010226102.tif 000006
【図４】
2010226102.tif 000007
【図５】
2010226102.tif 000008
【図６】
2010226102.tif 000009